(57)【要約】【課題】室内の領域によって異なる照度環境を自然光で且つ低コストで得られる採光制御装置を提供することにある。【解決手段】コントローラ４の演算制御装置４２は、ロールスクリーン１ａ，１ｂ，１ｃ内の領域に対応する室内Ｒの制御対象エリアＡ１…の照度目標値と記憶部４１に記憶させている当該ロールスクリーン内の領域の透過率情報と照度検出部３が取得する入射照度と前記太陽高度取得部４２ｃで取得する太陽高度とに基づき、駆動部２を駆動してロールスクリーン１ａ，１ｂ，１ｃの重なり状態を制御する制御部【選択図】図１
2007291604.tif 000002
【特許請求の範囲】
【請求項１】
採光部の少なくとも一部を覆い、互いに重なるように配置される複数のスクリーンと、該複数のスクリーンを収納する収納部と、該複数のスクリーンを駆動させて重なり状態を変化させる駆動部とを備えるとともに、前記スクリーン内の領域毎の光透過率情報を記憶する記憶部と、前記採光部の入射照度を取得する照度検出部と、設置場所における現在時の太陽高度を取得する太陽高度取得部と、前記スクリーン内の領域に対応する室内の領域の照度目標値と前記記憶部に記憶させている当該スクリーン内の領域の透過率情報と前記照度検出部が取得する入射照度と前記太陽高度取得部で取得する太陽高度とに基づき、前記駆動部を駆動して前記複数のスクリーンの重なり状態を制御する制御部とを備えていることを特徴とする採光制御装置。
【請求項２】
前記制御部は、サーカディアンリズムに基づいた室内照度が得られるように前記駆動部により前記複数のスクリーンの重なり状態を制御することを特徴とする請求項１記載の採光制御装置。
【請求項３】
前記スクリーン内は夫々が異なる光透過率の複数の領域に分けられ、制御部は、前記駆動部により複数のスクリーンの重なり状態を制御することで室内の所定の領域毎の照度を各別に設定することを特徴とする請求項１記載の採光制御装置。
【発明の詳細な説明】
【技術分野】
【０００１】
本発明は、スクリーンを用いた採光制御装置に関するものである。
【背景技術】
【０００２】
室内への日射入射距離の変動に応じて電動ブラインド及びロールスクリーンの高さ制御を行うことで、室内の採光を制御する採光装置が従来から提供されている（特許文献１）。
【特許文献１】特開２０００−５４７６２公報（段落番号０００５、図３）
【発明の開示】
【発明が解決しようとする課題】
【０００３】
ところで特許文献１に開示されている装置では、ロールスクリーンを用いる場合ロールスクリーンの上下によって遮光量を変えるだけであるため、室内のある領域に対して採光か遮光かのみで、細やかな照度の調整が不能であった。
【０００４】
一方電動ブラインドを用いて細やかな採光調整を可能とした場合、装置自体が非常に高価で、目的とする照明環境の実現には非常に大きなコストがかかるという欠点があった。
【０００５】
更に電動ブラインドは採光部の全面に対して均一な採光制御であるため、室内の領域によって異なる照度環境を得ることが求められる場合に対応できなかった。
【０００６】
本発明は、かかる点に鑑みて為されたもので、その目的とするところは、室内の領域によって異なる照度環境を自然光で且つ低コストで得られ採光制御装置を提供することにある。
【課題を解決するための手段】
【０００７】
上述の目的を達成するために、請求項１の発明では、採光部の少なくとも一部を覆い、互いに重なるように配置される複数のスクリーンと、該複数のスクリーンを収納する収納部と、該複数のスクリーンを駆動させて重なり状態を変化させる駆動部とを備えるとともに、前記スクリーン内の領域毎の光透過率情報を記憶する記憶部と、前記採光部の入射照度を取得する照度検出部と、設置場所における現在時の太陽高度を取得する太陽高度取得部と、前記スクリーン内の領域に対応する室内の領域の照度目標値と前記記憶部に記憶させている当該スクリーン内の領域の透過率情報と前記照度検出部が取得する入射照度と前記太陽高度取得部で取得する太陽高度とに基づき、前記駆動部を駆動して前記複数のスクリーンの重なり状態を制御する制御部とを備えていることを特徴とする。
【０００８】
請求項１の発明によれば、太陽高度と、入射照度とに基づいて複数のスクリーンの重なり具合を制御することで、室内の領域によって異なる照度環境を作り出すことができ、しかも人工照明を用いない太陽による自然採光のみを利用し、且つ安価なスクリーンを用いるため、低コストで実現できる。
【０００９】
請求項２の発明では、請求項１の発明において、前記制御部は、サーカディアンリズムに基づいた室内照度が得られるように前記駆動部により前記複数のスクリーンの重なり状態を制御することを特徴とする。
【００１０】
請求項２の発明によれば、室内に居る者に対しては、サーカディアンリズムが励起され、生体リズムを整える効果のある照明環境が、自然採光により実現できる。
【００１１】
請求項３の発明では、請求項１の発明において、前記スクリーン内は夫々が異なる光透過率の複数の領域に分けられ、制御部は、前記駆動部により複数のスクリーンの重なり状態を制御することで室内の所定の領域毎の照度を各別に設定することを特徴とする。
【００１２】
請求項３の発明によれば、スクリーンの重なり具合を制御することで、室内の複数の制御対象の領域に対して夫々異なる照度環境を実現することができる。
【発明の効果】
【００１３】
本発明は、太陽高度と、入射照度とに基づいて複数のスクリーンの重なり具合を制御することで、室内の領域によって異なる照度環境を作り出すことができ、しかも人工照明を用いない太陽による自然採光のみを利用し、且つ安価なスクリーンを用いるため、低コストで実現できるという効果がある。
【発明を実施するための最良の形態】
【００１４】
以下本発明を実施形態により説明する。
（実施形態１）
本実施形態の採光制御装置は、図１（ａ）に示すように採光部である窓部Ｗを室内Ｒ側の窓面に沿うように配置した複数枚（例えば３枚）の光透過性を有するロールスクリーン１ａ，１ｂ，１ｃと、これらロールスクリーン１ａ，１ｂ，１ｃを各別に巻き取り、巻き戻しを行うためのモータ等からなるスクリーン駆動部２と、窓部Ｗから室内Ｒへ入射する光の照度を検出する照度検出部３と、この照度検出部３が検出する入射照度や、太陽Ｓの高度θ等に基づいて各ロールスクリーン１ａ，１ｂ，１ｃの重なり具合を制御するコントローラ４と、スクリーン駆動部２で巻き取るロールスクリーン１ａ，１ｂ，１ｃを収納する収納部５とで構成される。尚ロールスクリーン１ａ，１ｂ，１ｃの巻き取り側（収納部５側）は上側にしても良い。
【００１５】
ここで本発明の採光制御装置は、ロールスクリーン１ａ，１ｂ，１ｃの重なり具合を制御することで総透過率を変え、これにより窓部Ｗから室内Ｒへ入射する光による室内Ｒの床面Ｆの照度を所望する照度に設定するようにしたもので、照度環境を自然光により得ることが可能としたものであるが、本実施形態では更に床面Ｆの部位によって異なる照度環境を得ることができるようにした点に特徴がある。
【００１６】
そのため本実施形態では、例えば図２に示すように窓部Ｗからから入射した光が照射する室内Ｒの床面Ｆの範囲を複数（例えば図示するような長方形範囲であれば、例えば十字に区切って４つ）の領域に分割し、それぞれの領域を個別に照度環境を設定する領域（以下制御対象エリアという）として設定する。これは一例であって設置場所に対応して設定されるものとする。
【００１７】
そして図２の場合には、床面Ｆの窓部Ｗ側の隅を原点”０”とし、窓部Ｗの幅方向をＹ軸、室内Ｒの奥行き方向をＸ軸として設定し、採光制御対象となる室内Ｒの床面Ｆの奥端座標のＸ座標を、側端座標をＹ１で規定するとともに、その中で分割される各制御対象エリアＡ１〜Ａ４の境界をＸ２，Ｙ２で規定し、それらの座標関係を例えば施工業者等がデータテーブル化して、当該場所に設置するコントローラ４の後述する記憶部４１にエリア設定テーブルとして登録する。表１はこのエリア設定テーブルの例を示す。
【００１８】
【表１】
2007291604.tif 000003
【００１９】
一方制御対象エリアＡ１〜Ａ４の設定に対応して本実施形態では、ロールスクリーン１ａ，１ｂ，１ｃを上述の境界Ｙ２に対応するように横幅方向に２つの領域に分けて各ロールスクリーン１ａ，１ｂ，１ｃの左右の領域の透過率（出射照度／入射照度）を異ならせてある。
【００２０】
図３は各ロールスクリーン１ａ〜１ｃの各領域と制御対象エリアＡ１〜Ａ４との関係を示している。これにより例えば透過率が０．８の部位に１０００Ｌｘの光が入射すると、出射する光の照度は１０００Ｌｘ×０．８＝８００Ｌｘと減光されることになり、この透過率がロールスクリーン１ａ，１ｂ，１ｃの重なり具合によって変わることで、制御対象エリアＡ１〜Ａ４の照度を制御することができるのある。
【００２１】
コントローラ４は、所定の制御対象エリアＡ１〜Ａ４の照度が夫々の制御対象エリアＡ１〜Ａ４に対応した目標照度となるようにスクリーン駆動部２を制御することでロールスクリーン１ａ，１ｂ，１ｃの巻き上げ、巻き戻しを行って重なり具合を制御するものであって、図１（ｂ）に示すように入力部４０と、記憶部４１と、マイクロコンピュータからなる演算制御装置４２と、一時記憶部４３と、電源部（図示せず）とで構成される。
【００２２】
演算制御装置４２は、コントローラ４の中枢となるもので、予め記憶部４１に格納されているエリア設定テーブル、後述する照度制御設定テーブル、透過率演算テーブル等の各種テーブルの設定内容と、予め記憶部４１に設定業者が登録している当設置場所の緯度、経度情報と標準位置の太陽高度情報と内蔵時計（図示せず）の計時時刻とから現在時の太陽高度を算出して取得する太陽高度取得部４２ａと、太陽高度及び入力ポートから取り込む照度検出部３の入射照度情報とに基づいて各ロールスクリーン１ａ，１ｂ，１ｃの下端からの高さを算出する制御方法決定部４２ｂと、この制御方法決定部４２ｂで算出した高さとなるように各ロールスクリーン１ａ，１ｂ，１ｃの巻き取り量若しくは巻き戻し量を制御する制御信号を生成してスクリーン駆動部２へ出力する制御信号生成部４２ｃとを機能として備えている。
【００２３】
前記照度制御設定テーブルは、照度制御時に制御対象エリアＡ１〜Ａ４で設定する目標照度値と、各制御対象エリアＡ１〜Ａ４の制御の優先度とを記入したもので、予め施工業者により、ユーザーの希望等に基づいて作成し記憶部４１に登録される。
【００２４】
表２はこの照度制御設定テーブルの一例を示し，この例では時刻帯毎に目標照度値と制御優先度とを設定している場合を示す。またこの照度制御設定テーブルでは目標照度の許容誤差（Ｅ％）も設定できるようになっており、例えば、目標照度値に対する許容誤差を。例えば、目標照度１０００Ｌｘに対し、許容誤差を１０％と設定した場合、１１００Ｌｘ〜９００Ｌｘは目標照度を満たすものとする。
【００２５】
【表２】
2007291604.tif 000004
【００２６】
また透過率演算テーブルは、演算制御装置４２において、上述の目標照度を得るためにロールスクリーン１ａ、１ｂ，１ｃの重なり具合を制御する際に、ロールスクリーン１ａ，１ｂ，１ｃの高さ位置決定する際に用いるもので、記憶部４１に格納されている。
【００２７】
表３は空状態の初期の透過率演算テーブルの一例を示す。
【００２８】
【表３】
2007291604.tif 000005
【００２９】
この表３の透過率演算テーブルには、ロールスクリーン１ａ，１ｂ，１ｃの下端０〜ｈ１までの範囲での左右の部位と、高さｈ１〜ｈ２までの範囲での左右の部位と、高さｈ２〜ｈｍａｘまでの範囲での左右の部位でのそれぞれの透過率を記入する欄と、重なった場合の夫々の高さ範囲毎のにおける左右部位の総透過率を記入する欄とを設けてある。
【００３０】
ここで総透過率とは、高さ範囲毎の各部位の各ロールスクリーン１ａ，１ｂ，１ｃの透過率の掛け合わせ値であり、表３中の高さ範囲が０〜ｈ２のＹ２〜Ｙ１の部位の総透過率は、各ロールスクリーン１ａ，１ｂ，１ｃの高さ範囲が０〜ｈ２のＹ２〜Ｙ１の部位の透過率の掛け合わせ値になる。例えば各ロールスクリーン１ａ，１ｂ，１ｃの高さ範囲が０〜ｈ２のＹ２〜Ｙ１の部位の透過率を夫々０．９，０．８，０．３とすれば、総透過率は０．９×０．８×０．３＝０．２１６となる。
【００３１】
コントローラ４内の一時記憶部４３は演算制御装置４２が演算処理を行う際にデータの一時記憶等に用いるものである。
【００３２】
入力部４０はコントローラ４を稼働状態や休止状態にするための指示を演算制御装置４２に与えるためのスイッチ等から構成される。また上述の記憶部４１に格納している諸テーブルの内容修正や、ユーザサイドでのデータ変更等のためのキー部を設け、コントローラ４を通常の動作状態と、データの修正・変更等のメンテナンス状態との切り替えを演算制御装置４２に指示するようにしても良い。このメンテナンス状態での記憶部４１への書き込み等の処理は演算制御装置４２の制御の下で行われるものとする。
【００３３】
次に本実施形態の動作を図４に示すフローチャートにより説明する。
【００３４】
まず、コントローラ４の演算制御装置４は内蔵時計（図示せず）から午前の所定時刻（朝）になると、制御動作を自動的に起動する（ステップＳ１）。この起動から演算制御装置４の制御方法決定部４２ｂが定期的に、内蔵時計の計時時刻を基に記憶部４１の照度制御設定テーブルを参照し、各制御対象エリアの制御優先度と目標照度値を取得する（ステップＳ２）。
【００３５】
次に制御方法決定部４２ｂは照度検出部３から入射照度ＬＥＸを取得し（ステップＳ３）、また太陽高度取得部４２ａが現在時刻の太陽Ｓの高度θを算出する（ステップＳ４）。この制御方法決定部４２ｂは算出された太陽高度θと、制御対象エリアＡ１〜Ａ４を区分するＸ１，Ｘ２の値を基に、Ｘ１に対応するスクリーン高さｈ１、Ｘ２に対応するスクリーン高さｈ２を算出する（ステップＳ５）。図５は太陽高度θと、Ｘ１、Ｘ２と、スクリーン高さｈ１，ｈ２の関係を示す。
【００３６】
尚Ｘ１は、太陽Ｓの水平移動の影響を受けない程度の窓部Ｗからの距離に設定されるもので、昼光利用の採光では一般的に約１ｍ〜１０ｍ程度となっている。
【００３７】
次に制御方法決定部４２ｂは制御優先度の最も高い制御対象エリアを対象にその制御対象エリアの照度が目標照度値となるようにロールスクリーン１ａ，１ｂ，１ｃの制御を決定する（ステップＳ６）。
【００３８】
このステップＳ６の動作を  現在の時間帯を午前中とし、制御対象エリアをＡ１とし、照度検出部が検出する入射照度ＬＥＸを１００００Ｌｘとした場合について説明する。
【００３９】
まず制御方法決定部４２ｂは、表３に示す透過率演算テーブルを参照する。（初期状態は空テーブル）
ここで、目標照度＝入射照度ＬＥＸ×総透過率の関係のため、
制御対象エリアＡ１の目標照度Ｌ１ａｍは、入射照度ＬＥＸ×総透過率であればいいので、
総透過率×ＬＥＸ／Ｌ１ａｍ≒１        …（１）
となる。
【００４０】
そこで、記憶部４１に格納している表４に示すような透過率組み合わせテーブルを参照し、許容誤差Ｅ１（％）の範囲内で上式が成り立つ透過率組み合わせを選定する。
【００４１】
【表４】
2007291604.tif 000006
【００４２】
この表４で示す透過率組み合わせテーブルは、各ロールスクリーン１ａ，１ｂ，１ｃの組み合わせ毎の総透過率の算出結果を予め格納しているもので、演算制御装置４２の演算を簡易にするためのものである。
【００４３】
さて上述の選定において複数候補が存在する場合は、それらを演算制御装置４２の制御の下で一時記憶部４３に保持しておく。
【００４４】
また許容誤差の範囲内では存在しない場合は、式（１）の値が１に最も近くなる組み合わせを選定する。
【００４５】
ここでは以後の動作の説明のために、複数候補としてａ１×ｂ１×１と１×ｂ１×ｃ１の組み合わせがあったものとする。例えば、入射照度ＬＥＸが１００００Ｌｘであるとし、目標照度値が２０００Ｌｘ、許容誤差が２５％である場合、透過率の組み合わせ０．４×０．５×１（＝０．２）と、１×０．５×０．３（＝０．１５）の組み合わせが候補となる。
【００４６】
当該制御対象エリアＡ１に対して透過率候補毎に透過率演算テーブルに透過率を記入し、一時記憶領域に保持しておく。
【００４７】
ここでは以後の動作の説明のために、まず侯補ａ１×ｂ１×１を取り上げて、上記の透過率演算テーブルに透過率を記入する手続きを述べる。
【００４８】
まず当該制御対象エリア（ここでは、エリアＡ１）の領域をエリア設定テーブルから取得（ここではＸ１〜Ｘ２；０〜Ｙ２）。Ｘの値は、対応するスクリーン高さｈに置き直して扱う（ここではｈ１〜ｈ２）。この制御対象エリアＡ１に対しての、各ロールスクリーンの透過率（１ａはａ１、１ｂはｂ１、１ｃは１となる）を記入する。
【００４９】
次に当該制御対象エリアＡのＹ範囲に対して、そのスクリーン高さの下限（ここではｈ２）以下（ここではｈ２〜０）の範囲では次の透過率を設定する。
【００５０】
つまり、その上方（ｈ２以上）の透過率が１以外である場合は、そこにロールスクリーンが存在しているため、高さ範囲ｈ２〜０も同様の透過率を設定する（ロールスクリーン１ａはａ１、ロールスクリーン１ｂはｂ１）。
【００５１】
またその上方（ｈ２以上）の透過率が１である場合は、そこにスクリーンが存在しないため、高さ範囲ｈ２〜０にロールスクリーンが存在するかどうかはこの段階では任意であるため、空欄にしておく。
【００５２】
当該制御対象エリアＡ１のＹ範囲に対して、そのスクリーン高さの上限（ここではｈ１）以上の箇所については、次のように透過率を設定する。
【００５３】
まず、当該制御対象工リアＡ１のスクリーン高さ上限（ｈ１）以下に透過率１が設定されている場合、そこにスクリーンは存在しないため、その高さ上限（ｈ１）より上方も透過率１を設定する（ロールスクリーン１ｃの透過掌は１）。
【００５４】
またそうでない場合は、（そこにスクリーンが存在するかどうかはこの段階では任意であるため、）空欄にしておく。
【００５５】
そして演算制御装置４２は。この段階での総透過率を算出し記憶部４１内の透過率演算テーブルに記入する。表５はその記入例を示す。
【００５６】
【表５】
2007291604.tif 000007
【００５７】
同様にして、演算制御装置４２は、他の透過率候補（１×ｂ１×ｃ１）に対しても、同様の透過率演算テーブルを作成し、一時記憶部４３に保持しておく。表６はこの記入例である。
【００５８】
【表６】
2007291604.tif 000008
【００５９】
次に、制御優先度が２番目に高い制御対象エリアを対象に、そこの照度が目標照度になるようにスクリーンの制御を決定するための選定が可能か否かを判定し（ステップＳ７）、可能な場合にはスクリーンの制御を決定し（ステップＳ８）、もしこれ以前の制約により選定できない場合は、次の優先度の高い制御対象エリアへ移る。つまりステップＳ７−の判定を繰り返す。
【００６０】
ここでは、制御対象エリアＡ３を対象とする。この制御対象エリアＡ３（Ｘ２〜０；Ｙ２〜Ｙ１）の対応するスクリーン高さ範囲ｈ２〜０の、現在の透過率組み合わせ候補は、
（ａ）ａ２×ｂ２×−と、（ｂ）−×ｂ２×ｃ２とである。
【００６１】
これに対する透過率未決スクリーンは（ａ）ではロールスクリーン１ｃ、（ｂ）ではロールスクリーン１ａである。
【００６２】
（ａ）ではロールスクリーン１ｃの透過率候補は１かｃ２であり、（ｂ）ではロールスクリーン１ａの透過率候補は１かａ２である。
【００６３】
この４つの組み合わせの中で、制御対象エリアＡ４の目標照度に最も近くなる組み合わせを選定する。
【００６４】
この場合、総透過率×ＬＥＸ／Ｌ４ａｍ≒１であればいい。
【００６５】
そして許容誤差の範囲内で上式が成り立つ透過率組み合わせを選定する。ここで１つ以上の侯補が存在する場合は、それらを一時記憶領域部４３に保持しておく。許容誤差の範囲内で存在しない場合は、最も近い組み合わせを選定する。
【００６６】
説明のために、ａ２×ｂ２×ｃ２が最も近い組み合わせであったとすると、演算制御装置４２は、制御対象エリアＡ３に対して透過率がａ２×ｂ２×ｃ２になるように記憶部４１内の透過率演算テーブルに透過率を記入する。表７はこの記入例を示す。
【００６７】
【表７】
2007291604.tif 000009
【００６８】
同様に、優先度３，４の制御対象エリアに対しても同様に透過率組み合わせ選定を行う。これ以前の制約により選定できない場合は、次のステップへ移る。最後まで複数候補が残る場合は、窓側に近いスクリーンから順番に閉になる組み合わせを選定する（この場合は表７のようになる）。
【００６９】
そしてステップＳ９で表７のように最後まで余った未決部分に対し、これまでに決まった制約条件を満たす範囲で、各ロールスクリーン１ａ，１ｂ，１ｃが全開か全閉になるようにする（中途半端に開くよりは、全開か全閉で良いのならそうする）。
【００７０】
最終の透過率演算テーブルより、各ロールスクリーン１ａ，１ｂ，１ｃの高さを設定する（ステップＳ１０）。ここでは、ロールスクリーン１ａは高さｈ２、ロールスクリーン１ｂは全閉、ロールスクリーン１ｃは全閉となる。つまり表８のようになる。
【００７１】
【表８】
2007291604.tif 000010
【００７２】
ここで、演算制御装置４２の制御信号生成部４２ｃは、各ロールスクリーン１ａ，１ｂ，１ｃの高さが算出した高さになるようにスクリーン駆動部２を動作させる制御信号を生成して出力し（ステップＳ１１）、一定時間が経つと、ステップのＳ２に戻る
このようにして本実施形態では、ロールスクリーン１ａ，１ｂ，１ｃの高さを制御することで、室内Ｒの床面Ａの制御対象エリアＡ１〜Ａ４によって異なる照度環境を実現することができるのである。また安価なロールスクリーンを用い、人工照明ではなく自然光のみを用いることで、低コストで提供することができる。
【００７３】
ところで、本実施形態では、ベッドなどの寝床が設けられる場所（例えば制御対象エリアＡ１）に対して、覚醒効果などにより生体リズムを整える効果が得られるサーカディアンリズムに基づいた照明を実現したい場合には、表２に示すような照度設定により、当顔制御対象エリアＡ１については、午前中の照度を２０００Ｌｘの高照度に、また午後の照度を７５０Ｌｘの標準照度とすることで、制御対象エリアＡ１の居る者に対しては、午前中の高照度によりサーカディアンリズムが励起され、生体リズムを整える効果のある照明環境が、自然採光により実現される。
【図面の簡単な説明】
【００７４】
【図１】（ａ）は実施形態１の構成図、（ｂ）は実施形態１の回路構成図である。
【図２】実施形態１の各ロールスクリーンと制御対象エリアの関係説明図である。
【図３】実施形態１の各ロールスクリーンの透過率と制御対象エリアの関係説明図である。
【図４】実施形態１の動作説明用フローチャートである。
【図５】実施形態１の太陽高度とスクリーン高さの関係説明図である。
【符号の説明】
【００７５】
１ａ，１ｂ，１ｃ  ロールスクリーン
２  スクリーン駆動部
３  照度検出部
４  コントローラ
４０  入力部
４１  記憶部
４２  演算制御装置
４２ａ  制御方法決定機能
４２ｂ  制御信号生成部
４３  一時記憶部
５  収納部
Ｒ  室内
Ｆ  床面
Ｗ  窓部
Ｓ  太陽
【図１】
2007291604.tif 000011
【図２】
2007291604.tif 000012
【図３】
2007291604.tif 000013
【図４】
2007291604.tif 000014
【図５】
2007291604.tif 000015